(57)【要約】【課題】本発明は、手走査型の原稿読み取り装置において、原稿の読み取り装置の位置を良好に検出することを目的とする。【解決手段】原稿読み取り装置は、底面部に原稿を読み取るための開口部を有するハウジングと、底面部において、開口部を挟んでそれぞれ２つずつ配置され、原稿読み取り装置の位置を検出する位置検出部と、を備える。【選択図】図３
2010161435.tif 000002
【特許請求の範囲】
【請求項１】
原稿読み取り装置であって、
底面部に原稿を読み取るための開口部を有するハウジングと、
前記底面部において、前記開口部を挟んでそれぞれ２つずつ配置され、原稿読み取り装置の位置を検出する位置検出部と、を備える原稿読み取り装置。
【請求項２】
請求項１に記載の原稿読み取り装置において、
前記底面部は、一対の長辺部と、前記一対の長辺部の両端をそれぞれつなぐ一対の短辺部と、を備え、
前記位置検出部は、前記開口部と前記短辺部との間に配置されている原稿読み取り装置。
【請求項３】
請求項２に記載の原稿読み取り装置において、
前記長辺部から前記位置検出部までの前記底面部の短辺方向の距離が、前記長辺部から前記開口部までの前記短辺方向の距離より長い原稿読み取り装置。
【請求項４】
請求項２または請求項３に記載の原稿読み取り装置において、
前記開口部といずれか一方の前記短辺部との間に配置される２つの位置検出部は、それぞれの前記短辺方向における前記長辺部までの距離が等しい原稿読み取り装置。
【請求項５】
請求項４に記載の原稿読み取り装置において、
前記開口部は、矩形形状を備え、
前記２つの位置検出部は、前記開口部の端辺に沿って配置されている原稿読み取り装置。
【請求項６】
請求項１ないし請求項５のいずれかに記載の原稿読み取り装置において、
前記位置検出部は、前記底面部の長辺方向に対して４５°回転した方向の移動量を検出する原稿読み取り装置。
【発明の詳細な説明】
【技術分野】
【０００１】
本発明は、原稿読み取り装置に関する。
【背景技術】
【０００２】
従来から、ハンドスキャナやマウススキャナなど、手走査型の原稿読み取り装置が知られている（特許文献１）。これらの原稿読み取り装置は、位置検出部により原稿の読み取り装置の位置を検出することで、断片的に取得した画像データから原稿全体の画像データを生成することができる。
【０００３】
【特許文献１】特開平１１−３４５０７４号公報
【発明の開示】
【発明が解決しようとする課題】
【０００４】
しかし、原稿の端部で読み取りをおこなった場合など、位置検出部が原稿面上から離れることにより原稿の読み取り装置の位置の検出ができない場合があった。
【０００５】
本発明は、上記した従来の課題の少なくとも一部を解決するためになされた発明であり、手走査型の原稿読み取り装置において、原稿の読み取り装置の位置を良好に検出することを目的とする。
【課題を解決するための手段】
【０００６】
上記課題の少なくとも一部を解決するために本願発明は以下の態様を採る。
【０００７】
第１の態様は、原稿読み取り装置を提供する。本発明の第１の態様に係る原稿読み取り装置は、底面部に原稿を読み取るための開口部を有するハウジングと、前記底面部において、前記開口部を挟んでそれぞれ２つずつ配置され、原稿読み取り装置の位置を検出する位置検出部と、を備える。
【０００８】
第１の態様に係る原稿読み取り装置によれば、ハウジングの底面部に、開口部を挟んでそれぞれ２つずつ位置検出部が配置されているため、原稿読み取り装置の位置を良好に検出することができる。
【０００９】
第１の態様に係る原稿読み取り装置において、前記底面部は、一対の長辺部と、前記一対の長辺部の両端をそれぞれつなぐ一対の短辺部と、を備え、前記位置検出部は、前記開口部と前記短辺部との間に配置されていてもよい。この場合、位置検出部は、開口部と短辺部との間にそれぞれ配置されるため、原稿読み取り装置の位置を良好に検出することができる。
【００１０】
第１の態様に係る原稿読み取り装置において、前記長辺部から前記位置検出部までの前記底面部の短辺方向の距離が、前記長辺部から前記開口部までの前記短辺方向の距離より長くてもよい。この場合、位置検出部が開口部より長辺部から遠いため、原稿読み取り装置の位置を良好に検出することができる。
【００１１】
第１の態様に係る原稿読み取り装置において、前記開口部といずれか一方の前記短辺部との間に配置される２つの位置検出部は、それぞれの前記短辺方向における前記長辺部までの距離が等しくてもよい。この場合、２つの位置検出部は、長辺部までの距離が等しくなるように配置されているため、原稿読み取り装置の位置を良好に検出することができる。
【００１２】
第１の態様に係る原稿読み取り装置において、前記開口部は、矩形形状を備え、
前記２つの位置検出部は、前記開口部の端辺に沿って配置されていてもよい。この場合、２つの位置検出部は、開口部の端辺に沿って配置されているため、原稿読み取り装置の位置を良好に検出することができる。
【００１３】
第１の態様に係る原稿読み取り装置において、前記位置検出部は、前記底面部の長辺方向に対して４５°回転した方向の移動量を検出してもよい。この場合、位置検出部は、底面部の長辺方向に対して４５°回転した体勢で配置されているため、原稿読み取り装置は、原稿を良好に読み取ることができる。
【００１４】
本発明は、種々の態様で実現することが可能であり、ハンドスキャナやマウススキャナのほか、例えば、ハンドスキャナを一部に備えたコピー装置やファクシミリ装置などにより実現することができる。
【発明を実施するための最良の形態】
【００１５】
以下、本発明に係る原稿読み取り装置の一態様であるマウススキャナについて、図面を参照しつつ、実施例に基づいて説明する。
【００１６】
Ａ．第１の実施例：
Ａ１．マウススキャナの外部構成：
図１は、本発明の第１の実施例におけるマウススキャナの上側の外観を例示した説明図である。図２は、本発明の第１の実施例におけるマウススキャナの下側の外観を例示した説明図である。図３は、マウススキャナの底部の配置構成を説明するための説明図である。マウススキャナ１００は、読み取り対象物（原稿）を光学的に読み取り、ケーブル２００を介して接続されている図示しないコンピュータに画像データを出力する画像読み取り装置として機能するほか、コンピュータの操作に用いられるポインティングデバイスとしても機能する。マウススキャナ１００は、いわゆる手走査型のスキャナであり、手動により装置自体を読み取り対象物（原稿）上で走査させることにより原稿を読み取る。図１、図２に示すように、マウススキャナ１００は、上側ハウジング部材１１０と、下側ハウジング部材１２０と、ホイール１３１と、読取ボタン１３２と、透過板１４０と、前方フット部１５１と、後方フット部１５２を備えている。
【００１７】
上側ハウジング部材１１０は、略長板形状の外形を備えた蓋部材であり、下側ハウジング部材１２０の上部に配置されている。上側ハウジング部材１１０と下側ハウジング部材１２０は、マウススキャナ１００のハウジングを形成する。上側ハウジング部材１１０は、短辺方向の略中央にホイール用開口部１１１を備え、ハウジングの内部に配置されているホイール１３１の一部がホイール用開口部１１１から露出している。また、上側ハウジング部材１１０は、読取ボタン１３２を配置するため、長辺の一部に切欠部１１２を備えている。本実施例では、図３に示すように、上側ハウジング部材１１０の短辺方向の幅をＷ１とする。
【００１８】
下側ハウジング部材１２０は、上部が開放された略函形状に形成され、底面部１２０ａと、長辺側側面部１２０ｂと、短辺側側面部１２０ｃと、により構成されている。底面部１２０ａは、下側ハウジング部材１２０の底部に形成され、略長方形状を有している。底面部１２０ａは、長手方向に形成された略直線状の長辺部１２０eと、長手方向に直交する方向（以後「短手方向」と呼ぶ）に形成された略直線状の短辺部１２０ｓと、を備えている。図３に示すように、短辺部１２０ｓの幅Ｗ２は、上側ハウジング部材１１０の短辺方向の幅Ｗ１より狭くなるように形成されている。よって、本実施例に係るマウススキャナ１００は、長手方向と直交する断面が略台形形状に形成されている。長辺側側面部１２０ｂは、長辺部１２０eを介して底面部１２０ａと連接している。また、短辺側側面部１２０ｃは、底面部１２０ａの短辺部１２０ｓを介して底面部１２０ａと連接している。なお、本実施例では、短辺部１２０ｓは直線状に形成されているが、形状は特に限定されず、例えば、山形形状などの曲線状に形成されていてもよい。
【００１９】
下側ハウジング部材１２０は、短辺側側面部１２０ｃにコネクタ２０１が接続されるための図示しない開口部を備えている。以後、本実施例において、コネクタ２０１が接続されるための開口部を備えている。以後、本実施例において、コネクタ２０１が接続されるための開口部を備えている一方の短辺側側面部１２０ｃ側をマウススキャナ１００の「前方側」とも呼び、他方の短辺側側面部１２０ｃ側を「後方側」とも呼ぶ。
【００２０】
下側ハウジング部材１２０は、底面部１２０ａの略中央に矩形の原稿読取用開口部１２１を備えている。原稿読取用開口部１２１は、ハウジングの内部に配置されている図示しない撮像部が原稿を読み取るための開口部である。原稿読取用開口部１２１は、一対の端辺が長辺部１２０eと略平行となるように配置されている。本実施例では、底面部１２０ａの短手方向における原稿読取用開口部１２１の端辺と長辺部１２０eとの距離をＤ１とする。原稿読取用開口部１２１は特許請求の範囲における「開口部」に該当する。
【００２１】
下側ハウジング部材１２０は、底面部１２０ａの前方側の短辺部１２０ｓと原稿読取用開口部１２１との間に、底面部１２０ａの短手方向に沿って並ぶ２つの小窓からなる前方側位置検出用開口部１２２を備える。また、後方側の短辺部１２０ｓと原稿読取用開口部１２１との間に、底面部１２０ａの短手方向に沿って並ぶ２つの小窓からなる後方側位置検出用開口部１２３を備える。前方側位置検出用開口部１２２は、開口部の中心から長辺部１２０eまでの距離Ｄ２が原稿読取用開口部１２１の端辺から長辺部１２０eまでの距離Ｄ１より長くなるように配置されている。また、後方側位置検出用開口部１２３は、開口部の中心から長辺部１２０eまでの距離Ｄ３が原稿読取用開口部１２１の端辺から長辺部１２０eまでの距離Ｄ１より長くなるように配置されている。なお、距離Ｄ２と距離Ｄ３は、同じであってもよいし、異なっていてもよい。
【００２２】
下側ハウジング部材１２０は、長辺側側面部１２０ｂの一部で上側ハウジング部材１１０の切欠部１１２と対応する位置に、切欠部１２０ｄを備えている。読取ボタン１３２は、上側ハウジング部材１１０および下側ハウジング部材１２０それぞれの切欠部により形成された開口部に配置されている。ホイール１３１は、マウススキャナ１００をポインティングデバイスとして用いる際に、コンピュータに表示される画像のスクロールや選択等をおこなうために用いられる。読取ボタン１３２は、マウススキャナ１００により原稿の読み取りをおこなう際に押されるボタンである。透過板１４０は、略矩形形状の平板であり、原稿読取用開口部１２１を覆うように配置されている。透過板１４０は、例えば、透明なプラスチック板やガラス板により形成されている。
【００２３】
前方フット部１５１および後方フット部１５２は、マウススキャナ１００と原稿との摩擦を低減させるための滑走用部材であり、プラスチックやウレタン等により形成されている。前方フット部１５１および後方フット部１５２は、略楕円形状の平面と台形の断面を有し、底面部１２０ａに配置されることで底面部１２０ａの外表面に凸部を形成する。よって、マウススキャナ１００を原稿上で走査させた場合には、前方フット部１５１および後方フット部１５２が原稿に接触する。
【００２４】
前方フット部１５１は、底面部１２０ａの前方側の短辺と前方側位置検出用開口部１２２との間に配置されている。前方フット部１５１は、底面部１２０ａの短辺部１２０ｓに沿って延伸した形状を有している。前方フット部１５１は、長辺部１２０eまでの距離Ｄ４が原稿読取用開口部１２１から長辺部１２０eまでの距離Ｄ１より短くなるように配置されている。
【００２５】
後方フット部１５２は、底面部１２０ａの後方側の短辺と後方側位置検出用開口部１２３との間に配置されている。後方フット部１５２は、底面部１２０ａの短辺部１２０ｓに沿って延伸した形状を有している。後方フット部１５２は、長辺部１２０eまでの距離Ｄ５が原稿読取用開口部１２１から長辺部１２０eまでの距離Ｄ１より短くなるように配置されている。
【００２６】
図４は、フット部の断面形状を例示した説明図である。図４（ａ）は、図３のＸ−Ｘ断面を例示している。図４（ｂ）は、図３のＹ−Ｙ断面を例示している。図４（ａ）に示すように、前方フット部１５１は、原稿と接触する接触面１５１ａと、厚み方向に形成される側面１５１ｂと、接触面１５１ａと側面１５１ｂとの間に形成される面取り部１５１ｃと、を備えている。面取り部１５１ｃは、接触面１５１ａを原稿に接触させた際の原稿との角度θ１が１０〜４５°となるように形成されている。角度θ１は、２８°程度とすることが望ましい。
【００２７】
前方フット部１５１と同様に、後方フット部１５２は、図４（ｂ）に示すように、原稿と接触する接触面１５２ａと、厚み方向に形成される側面１５２ｂと、接触面１５２ａと側面１５２ｂとの間に形成される面取り部１５２ｃと、を備えている。面取り部１５２ｃは、接触面１５２ａを原稿に接触させた際の原稿との角度θ２が１０〜４５°となるように形成されている。角度θ２は、２８°程度とすることが望ましい。
【００２８】
Ａ２．位置検出モジュールの配置構成：
マウススキャナ１００は、ハウジングの内部に４つの位置検出モジュールを備えている。位置検出モジュールは、前方側位置検出用開口部１２２および後方側位置検出用開口部１２３の小窓ごとに中心を合わせるようにして配置されている。前方側位置検出用開口部１２２の右側の小窓（図３左側）に配置される位置検出モジュールを右前方側位置検出モジュールＳｆｒと呼び、前方側位置検出用開口部１２２の左側の小窓（図３右側）に配置される位置検出モジュールを右前方側位置検出モジュールＳｆｌと呼ぶ。また、後方側位置検出用開口部１２３の右側の小窓（図３左側）に配置される位置検出モジュールを右後方側位置検出モジュールＳｒｒと呼び、後方側位置検出用開口部１２３の左側の小窓（図３右側）に配置される位置検出モジュールを右後方側位置検出モジュールＳｒｌと呼ぶ。
【００２９】
位置検出モジュールＳｆｒ、Ｓｆｌ、Ｓｒｒ、Ｓｒｌは、小窓を介して、マウススキャナ１００と、原稿若しくはマウスパット等との相対的な位置や向きを検出する。具体的には、位置検出モジュールＳｆｒ、Ｓｆｌ、Ｓｒｒ、Ｓｒｌは、互いに直交する２方向の移動量を検出する。マウススキャナ１００は、検出された２方向の各移動量から、原稿読み取り装置として読み取った画像の相対的な位置関係や、ポインティングデバイスとしてポインタの移動量等を決定する。マウススキャナ１００は、位置検出モジュールＳｆｒ、Ｓｆｌ、Ｓｒｒ、Ｓｒｌのうち、少なくとも２つのモジュールによって、移動量を検出することで、マウススキャナ１００の移動方向と移動量のほか、回転方向と回転量を算出することができる。
【００３０】
図５は、マウススキャナにおける位置検出モジュールの配置構成を説明するための説明図である。図５は、マウススキャナの前方側の位置検出モジュールＳｆｒ、Ｓｆｌ、および、後方側の位置検出モジュールＳｒｒ、Ｓｒｌの配置構成を示している。各位置検出モジュールＳｆｒ、Ｓｆｌ、Ｓｒｒ、Ｓｒｌは、それぞれ略正方形状の平面を有し、対角線方向の移動量を検出する。そのため、一方の対角線方向の移動量（以後「Ｙ方向移動量」と呼ぶ）を底面部１２０ａの長手方向の移動量とし、他方の対角線方向の移動量（以後「Ｘ方向移動量」と呼ぶ）を底面部１２０ａの短手方向の移動量とするためには、図５（ａ）に示すように、位置検出モジュールＳｆｒ、Ｓｆｌ、Ｓｒｒ、Ｓｒｌの対角線が底面部１２０ａの長手方向および短手方向と、それぞれ平行である必要がある。
【００３１】
本実施例における位置検出モジュールＳｆｒ、Ｓｆｌ、Ｓｒｒ、Ｓｒｌは、図５（ｂ）に示すように、モジュールの端辺が底面部１２０ａの長手方向および短手方向と、それぞれ平行となるように配置されている。そして、マウススキャナ１００は、検出されたＹ方向移動量とＸ方向移動量に対して次式（１）（２）を適用することにより、底面部１２０ａの長手方向の移動量であるＹ’方向移動量と、底面部１２０ａの短手方向の移動量であるＸ’方向移動量とを算出する。
【００３２】
Ｙ’＝Ｘｃｏｓ（４５＋ｅ）＋Ｙｃｏｓ（４５＋ｅ）      ・・（１）
Ｘ’＝Ｘｃｏｓ（４５＋ｅ）−Ｙｃｏｓ（４５＋ｅ）      ・・（２）
ここで、ｅは、位置検出モジュールを実装する際の設置誤差である。
【００３３】
すなわち、マウススキャナ１００は、検出された位置検出モジュールの対角線方向の移動量を、底面部１２０ａの長手方向成分と、底面部１２０ａの短手方向成分に分解することにより、底面部１２０ａの長手方向の移動量と、底面部１２０ａの短手方向の移動量を算出する。よって、本実施例に係る位置検出モジュールＳｆｒ、Ｓｆｌ、Ｓｒｒ、Ｓｒｌは、図５（ｂ）に示すように、短手方向の幅Ｌ１が、図５（ａ）に示すように配置された位置検出モジュールの短手方向の幅Ｌ２より狭い。
【００３４】
Ａ３．マウススキャナによる原稿の読み取り：
図６は、マウススキャナによる原稿の読み取り状態を説明するための説明図である。図７は、原稿読み取り時のフット部付近の状態を例示した説明図である。図６（ａ）に示すように、マウススキャナ１００により、本３００のページの上端部付近を読み取る場合には、前方側の位置検出モジュールＳｆｒ、Ｓｆｌが原稿面上から外れる場合がある。しかし、この場合であっても、後方側の２つの位置検出モジュールＳｒｒ、Ｓｒｌが原稿面上に残るため、２つの位置検出モジュールにより移動量の検出をおこなうことができる。また、同様に、マウススキャナ１００により、本３００のページの下端部付近を読み取る場合には、後方側の位置検出モジュールＳｒｒ、Ｓｒｌが原稿面上から外れる場合がある。しかし、前方側の位置検出モジュールＳｆｒ、Ｓｆｌが原稿上に残るため、２つの位置検出モジュールにより移動量の検出をおこなうことができる。
【００３５】
位置検出モジュールＳｆｒ、Ｓｆｌ、Ｓｒｒ、Ｓｒｌは、原稿読取用開口部１２１より、長辺部１２０eから遠い位置に配置されている。そのため、本３００のページの小口側端部付近を読み取るために原稿読取用開口部１２１の端辺と原稿の小口側端部とを重ねても、位置検出モジュールＳｆｒ、Ｓｆｌ、Ｓｒｒ、Ｓｒｌは原稿上に残る。よって、この場合についても、２以上の位置検出モジュールにより移動量の検出をおこなうことができる。
【００３６】
また、マウススキャナ１００は、底面部１２０ａが長方形状に形成されている。そのため、図６（ｂ）に示すように、本３００ののどに形成されるページの谷間付近の山形形状の原稿を読み取る際にも、短手方向の幅が抑制されているため良好に原稿を読み取ることができる。また、長辺部１２０eが略直線状であるため、ページの谷間にマウススキャナ１００を這わせて原稿を読み取ることができる。
【００３７】
前方フット部１５１および後方フット部１５２は、原稿読取用開口部１２１より、長辺部１２０eに近い位置に配置されているため、原稿の端部付近を読み取る際にも、接触面１５１ａ、１５２ａの一部が原稿上に残りやすい。従って、原稿上から外れた前方フット部１５１および後方フット部１５２が原稿に乗り上げる際の原稿の引っかかりを抑制することができる。また、図７（ａ）（ｂ）に示すように、前方フット部１５１および後方フット部１５２は、原稿の端部付近を読み取るために一度原稿面上から外れ、再度、原稿上に乗り上げる場合であっても、乗り上げる際に、接触する原稿の端部を、面取り部１５１ｃ、１５２ｃにより下方向に移動させるため、良好に乗り上げることができる。
【００３８】
以上説明した第１の実施例に係るマウススキャナ１００によれば、位置検出モジュールＳｆｒ、Ｓｆｌ、Ｓｒｒ、Ｓｒｌは、原稿読取用開口部１２１を挟んでそれぞれ２つずつ配置されているため、原稿の読み取り装置の位置を良好に検出することができる。具体的には、原稿の端部において読み取りをおこなう際、原稿読取用開口部１２１を挟んだ一方の位置検出モジュールが原稿面上から外れても、他方の２つの位置検出モジュールが原稿面上に残るため、この２つの位置検出モジュールにより移動量の検出をおこなうことができる。
【００３９】
第１の実施例に係るマウススキャナ１００によれば、位置検出モジュールＳｆｒ、Ｓｆｌ、Ｓｒｒ、Ｓｒｌは、原稿読取用開口部１２１と短辺部１２０ｓとの間に配置されているため、原稿の読み取り装置の位置を良好に検出することができる。具体的には、原稿の上端部もしくは下端部において読み取りをおこなう際に、前方側もしくは後方側のいずれか一方の位置検出モジュールが原稿面上から外れても、他方の２つの位置検出モジュールが原稿面上に残るため、この２つの位置検出モジュールにより移動量の検出をおこなうことができる。
【００４０】
第１の実施例に係るマウススキャナ１００によれば、底面部１２０ａの短手方向において、底面部１２０ａから位置検出モジュールＳｆｒ、Ｓｆｌ、Ｓｒｒ、Ｓｒｌまでの距離が、長辺部１２０eから原稿読取用開口部１２１までの距離より長いため、原稿の読み取り装置の位置を良好に検出することができる。具体的には、図６（ａ）に示すように、原稿の端辺を長辺部１２０eに沿わせて原稿を読み取る際に、原稿読取用開口部１２１の端辺と原稿の端辺とを重ねた状態であっても、位置検出モジュールＳｆｒ、Ｓｆｌ、Ｓｒｒ、Ｓｒｌは原稿上に残るため、２以上の位置検出モジュールにより移動量の検出をおこなうことができる。
【００４１】
第１の実施例に係るマウススキャナ１００によれば、前方側の位置検出モジュールＳｆｒ、Ｓｆｌは、それぞれの長辺部１２０eまでの距離がＤ２で等しく、後方側の位置検出モジュールＳｒｒ、Ｓｒｌは、それぞれの長辺部１２０eまでの距離がＤ３で等しいため、原稿読み取り装置の位置を良好に検出することができる。具体的には、前方側の位置検出モジュールＳｆｒ、Ｓｆｌおよび後方側の位置検出モジュールＳｒｒ、Ｓｒｌのそれぞれにおいて、長辺部１２０eまでの距離を等しくすることにより、回転方向の算出を容易にすることができる。
【００４２】
第１の実施例に係るマウススキャナ１００によれば、前方側の位置検出モジュールＳｆｒ、Ｓｆｌおよび後方側の位置検出モジュールＳｒｒ、Ｓｒｌは、それぞれ、原稿読取用開口部１２１の端辺に沿って配置されているため、原稿読み取り装置の位置を良好に検出することができる。具体的には、底面部１２０ａにおいて、原稿読取用開口部１２１の端辺付近は原稿面上から外難いため、良好に移動量の検出をおこなうことができる。
【００４３】
第１の実施例に係るマウススキャナ１００によれば、位置検出モジュールＳｆｒ、Ｓｆｌ、Ｓｒｒ、Ｓｒｌは、底面部１２０ａの長手方向に対して４５°回転した方向の移動量を検出するため、原稿読み取り装置は原稿を良好に読み取ることができる。具体的には、位置検出モジュールＳｆｒ、Ｓｆｌ、Ｓｒｒ、Ｓｒｌは、略正方形状の平面を有し、対角線方向の移動量を検出する。そのため、４５°回転した方向の移動量を検出するように配置することで、位置検出モジュールＳｆｒ、Ｓｆｌ、Ｓｒｒ、Ｓｒｌの端辺が底面部１２０ａの長手方向および短手方向と、それぞれ平行となり、位置検出モジュールＳｆｒ、Ｓｆｌ、Ｓｒｒ、Ｓｒｌの短手方向における幅を抑制し、底面部１２０ａの短手方向の幅をより小さくすることができる。
【００４４】
Ｂ．変形例：
なお、この発明は上記の実施例や実施形態に限られるものではなく、その要旨を逸脱しない範囲において種々の態様において実施することが可能であり、例えば次のような変形も可能である。
【００４５】
Ｂ１．変形例１：
図８は、変形例におけるマウススキャナの上側の外観を例示した説明図である。図９は、変形例におけるマウススキャナの底部の配置構成を説明するための説明図である。本実施例に係るマウススキャナ１００は、上側ハウジング部材１１０が、略長板形状の外形を備えているが、上側ハウジング部材１１０の形状はこれに限られず、例えば、図８に示すように台形形状の平面を有していても、マウススキャナ１００の走査性を向上させることができる。具体的には、図９に示すように、上側ハウジング部材１１０の前方側における短辺方向の幅Ｗ３は、後方側の幅Ｗ４より広いため持ちやすく、マウススキャナ１００を良好に手走査させることができる。また、短辺部１２０ｓの幅Ｗ２は、幅Ｗ３および幅Ｗ４より狭いため、良好に原稿を読み取ることができる。
【００４６】
また、ハウジングの形状は、本実施例や変形例１に限定されず、例えば、ハウジングは、楕円形状の平面を有していてもよいし。山形の断面を有していてもよい。また、下側ハウジング部材１２０が下蓋として機能してもよい。また、断面形状が台形形状以外であってもよい。
【００４７】
Ｂ２．変形例２：
本実施例に係るマウススキャナ１００のハウジングは、上側ハウジング部材にホイール用開口部１１１を備え、ホイール１３１の一部が露出しているが、ホイール１３１を備えていなくてもよい。また、読取ボタン１３２は、マウススキャナ１００の側面部に配置されているが、これ以外の位置に配置されていてもよい。
【００４８】
Ｂ３．変形例３：
本実施例に係るマウススキャナ１００は、位置検出モジュールＳｆｒ、Ｓｆｌ、Ｓｒｒ、Ｓｒｌは、長辺部１２０eまでの距離が原稿読取用開口部１２１から長辺部１２０eまでの距離より長くなるように配置されているが、これに限られず、長辺部１２０eまでの距離が原稿読取用開口部１２１から長辺部１２０eまでの距離以下となるように配置されていてもよい。この場合であっても、原稿の読み取り装置の位置を良好に検出することができる。
【００４９】
Ｂ４．変形例４：
本実施例に係るマウススキャナ１００の前方側の位置検出モジュールＳｆｒ、Ｓｆｌ、および、後方側の位置検出モジュールＳｒｒ、Ｓｒｌは、それぞれ底面部１２０ａの短手方向に沿った方向に並んで配置されているが、これに限られず、例えば、底面部１２０ａの長手方向に沿った方向に並んで配置されていてもよい。この場合であっても、２以上の位置検出モジュールにより移動量の検出をおこなうことができる。
【００５０】
Ｂ５．変形例５：
本実施例に係るマウススキャナ１００は、各位置検出モジュールＳｆｒ、Ｓｆｌ、Ｓｒｒ、Ｓｒｌの端辺が底面部１２０ａの長手方向および短手方向と、それぞれ平行となるように配置されているが、各位置検出モジュールＳｆｒ、Ｓｆｌ、Ｓｒｒ、Ｓｒｌの配置位置には特に制限はなく、例えば、位置検出モジュールＳｆｒ、Ｓｆｌ、Ｓｒｒ、Ｓｒｌは、それぞれの対角線が底面部１２０ａの長手方向および短手方向と平行となるように配置されていてもよい。また、本実施例に係るマウススキャナ１００は、式（１）（２）を適用することにより、底面部１２０ａの長手方向の移動量と、底面部１２０ａの短手方向の移動量を算出しているが、本発明は、位置検出モジュールの配置や、位置検出モジュールの検出方向等の使用の差異等により、式（１）（２）を適用しないマウススキャナとしても実現可能である。
【００５１】
Ｂ６．変形例６：
本実施例に係るマウススキャナ１００は、原稿読取用開口部１２１の一対の端辺が長辺部１２０eと略平行となるように形成されているが、原稿読取用開口部１２１の位置、形状はこれに限られず、例えば、円形形状を有していてもよいし、底面部１２０ａの一方に偏在していてもよい。
【００５２】
Ｂ７．変形例７：
本実施例に係るマウススキャナ１００は、ポインティングデバイスとしての機能を有しているが、スキャニング機能のみを備えた原稿読み取り装置としても実現してもよい。
【００５３】
Ｂ８．変形例８：
本発明は、ハンドスキャナやマウススキャナのほか、例えば、ハンドスキャナを一部に備えたコピー装置やファクシミリ装置などにより実現することができる。
【図面の簡単な説明】
【００５４】
【図１】本発明の第１の実施例におけるマウススキャナの上側の外観を例示した説明図である。
【図２】本発明の第１の実施例におけるマウススキャナの下側の外観を例示した説明図である。
【図３】マウススキャナの底部の配置構成を説明するための説明図である。
【図４】フット部の断面形状を例示した説明図である。
【図５】マウススキャナにおける位置検出モジュールの配置構成を説明するための説明図である。
【図６】マウススキャナによる原稿の読み取り状態を説明するための説明図である。
【図７】原稿読み取り時のフット部付近の状態を例示した説明図である。
【図８】変形例におけるマウススキャナの上側の外観を例示した説明図である。
【図９】変形例におけるマウススキャナの底部の配置構成を説明するための説明図である。
【符号の説明】
【００５５】
１００…マウススキャナ
１１０…上側ハウジング部材
１２０…下側ハウジング部材
１２０ａ…底面部
１２０ｓ…短辺部
１２０e…長辺部
１２１…原稿読取用開口部
１２２…前方側位置検出用開口部
１２３…後方側位置検出用開口部
１４０…透過板
１５１…前方フット部
１５２…後方フット部
２００…ケーブル
３００…本
【図１】
2010161435.tif 000003
【図２】
2010161435.tif 000004
【図３】
2010161435.tif 000005
【図４】
2010161435.tif 000006
【図５】
2010161435.tif 000007
【図６】
2010161435.tif 000008
【図７】
2010161435.tif 000009
【図８】
2010161435.tif 000010
【図９】
2010161435.tif 000011